(57)【特許請求の範囲】
【請求項１】
台輪部の前面に開口してその内部に体重計を戴置して収納する引出しが出し入れされる収納スペースを備え、引出しは最も前方に引出された全開位置において体重計を収納したまま使用可能となした洗面化粧台において、体重計と引出しとの間に体重計のずれ動きを防ぐ位置ずれ防止手段を設けたことを特徴とする洗面化粧台。
【請求項２】
位置ずれ防止手段は引出しと体重計との摩擦力により体重計のずれ動きを防ぐものであることを特徴とする請求項１記載の洗面化粧台。
【請求項３】
位置ずれ防止手段は体重計の有する係止部と引出しの有する受け止め部とが係合して体重計のずれ動きを防ぐものであることを特徴とする請求項１記載の洗面化粧台。
【請求項４】
体重計の有する係止部と引出しの有する受け止め部とはそのいずれか一方が凸部であり他方が凹部であって、凸部は弾性変形して凹部に係合するものであることを特徴とする請求項３記載の洗面化粧台。
【請求項５】
受け止め部の位置は調整可能であることを特徴とする請求項３または４記載の洗面化粧台。
【発明の詳細な説明】
【技術分野】
【０００１】
本願発明は、体重計が載置して収納される引出しを台輪部に備えた洗面化粧台に関するものである。
【背景技術】
【０００２】
従来から、特開２００２−３１５６３６号公報に示される如く、台輪部に可動式の体重計収納装置を設けた洗面化粧台は知られている。この種の洗面化粧台では、一般に、同公報でも説明されるように、図９に示す如く洗面化粧台１の下部に設けられた台輪部２に引出し３が設けられている。引出し３の正面向かって右側の側面は、洗面化粧台１に設けられたガイド部４によって支持されている。また、引出し３の正面向かって左側の側面にはローラ６１が設けられており、ローラ６１は床面上に支持されている。
【０００３】
引出し３の前後方向の動きは、ガイド部４によってスライドガイドされている。引出し３には体重計１６が収納されている。体重計１６は引出し３を前に引出した状態で、収納したまま体重計測可能となされている。なお、図中５は、引出し３が出し入れされる収納スペースである。
【０００４】
体重計１６は、引出し３内部でバネによって吊り下げられた収納部に収納されている。このため、体重を計測する際に体重計１６に人が乗ると、人の荷重によって、バネで吊り下げられた収納部が下方に移動して床に接触するため、引出し３やローラ６１、スライドガイド４には体重による荷重がかからない。これにより、引出し３やローラ６１、スライドガイド４は体重計測時の人の荷重によって破損することはない、とされている。
【０００５】
しかしながら、体重計１６の収納部には、一般的に体重計１６を出し入れするために、収納部側壁と体重計１６との間には隙間が生じる。つまり、体重を計測する際に体重計１６に人が乗ると、その隙間によって体重計１６にずれ動きを生じる。体重計１６に乗った状態で体重計１６にずれ動きが生じることは、体重を計測する者にとって不便である。
【特許文献１】特開２００２−３１５６３６号公報
【発明の開示】
【発明が解決しようとする課題】
【０００６】
本願発明は、上記背景技術に鑑みて発明されたものであり、その課題は、体重計を収納した状態で体重計測が可能な洗面化粧台において、引出しに載置して収納される体重計のずれ動きを防ぐことができる洗面化粧台を提供することである。
【課題を解決するための手段】
【０００７】
上記課題を解決するために、請求項１に係る洗面化粧台の発明にあっては、台輪部の前面に開口してその内部に体重計を戴置して収納する引出しが出し入れされる収納スペースを備え、引出しは最も前方に引出された全開位置において体重計を収納したまま使用可能となした洗面化粧台において、体重計と引出しとの間に体重計のずれ動きを防ぐ位置ずれ防止手段を設けたものである。
【０００８】
請求項２に係る洗面化粧台の発明にあっては、請求項１に記載の洗面化粧台において、位置ずれ防止手段は引出しと体重計との摩擦力により体重計のずれ動きを防ぐものであるようになしたものである。
【０００９】
請求項３に係る洗面化粧台の発明にあっては、請求項１に記載の洗面化粧台において、位置ずれ防止手段は体重計の有する係止部と引出しの有する受け止め部とが係合して体重計のずれ動きを防ぐものであるようになしたものである。
【００１０】
請求項４に係る洗面化粧台の発明にあっては、請求項３に記載の洗面化粧台において、体重計の有する係止部と引出しの有する受け止め部とはそのいずれか一方が凸部であり他方が凹部であって、凸部は弾性変形して凹部に係合するものであるようになしたものである。
【００１１】
請求項５に係る洗面化粧台の発明にあっては、請求項３または４に記載の洗面化粧台において、受け止め部の位置は調整可能であるようになしたものである。
【発明の効果】
【００１２】
請求項１の洗面化粧台においては、体重計と引出しとの間に体重計のずれ動きを防ぐ位置ずれ防止手段を設けたことから、体重を計測する際に体重計にずれ動きを生じることがなく、体重計測者にとって利便性が向上するという効果がある。
【００１３】
請求項２の洗面化粧台においては、摩擦力により体重計のずれ動きを防ぐようになしたことから、引出しにゴムなどの材質を敷き詰めるなど、比較的単純な構造で体重計のずれ動きを防ぐことが可能になるという効果がある。
【００１４】
請求項３の洗面化粧台においては、体重計の有する係止部と引出しの有する受け止め部とが係合して体重計のずれ動きを防ぐようになしたことから、体重計のずれ動き効果が確実になるという効果がある。
【００１５】
請求項４の洗面化粧台においては、凸部が弾性変形して凹部に係合するものであることから、係止部と受け止め部との係合がより確実になり、また凸部は凹部のわずかなサイズの違いがあっても、変形により係合可能となるという効果がある。
【００１６】
請求項５の洗面化粧台においては、受け止め部の位置が調整可能であることから、係合部の位置が限定されず、体重計の選択の幅が広がるという効果がある。
【発明を実施するための最良の形態】
【００１７】
図１〜７は、本願の請求項１、３、４に対応した第一実施形態である洗面化粧台を示している。この洗面化粧台１にあっては、台輪部２の前面に開口してその内部に体重計１６を戴置して収納する引出し３が出し入れされる収納スペース５を備え、引出し３は最も前方に引出された全開位置において体重計１６を収納したまま使用可能となしており、体重計１６と引出し３との間に体重計１６のずれ動きを防ぐ位置ずれ防止手段を設けている。
【００１８】
この場合、位置ずれ防止手段は体重計１６の有する係止部１６１と引出し３の有する受け止め部３１とが係合して体重計１６のずれ動きを防いでいる。又、体重計１６の有する係止部１６１と引出し３の有する受け止め部３１とはそのいずれか一方が凸部であり他方が凹部であって、凸部は弾性変形して凹部に係合するようになしている。ここでは、引出し３の有する受け止め部３１が凸部であり、体重計１６の有する係止部１６１が凹部である。
【００１９】
以下、この実施形態の洗面化粧台を、より具体的詳細に説明する。この実施形態の洗面化粧台１は、図１に示す如く台輪部２を有し、この台輪部２前面に設けられた開口部内に引出し３が収納される収納スペース５を有している。また引出し３は開閉時に前後の方向Ｘに動く。図１の引出し３は最も前方に引出された全開位置にあり、床面８のみによって支持されている。
【００２０】
図２は、引出し３が最も後方である収納位置にある様子を示している。洗面化粧台１にはガイドレール４が前下がりに傾斜して設けられており、引出し３の後部に設けられた主ローラ７を支持している。ラッチ１３は引出し３に設けられ、キャッチ１４は洗面化粧台１に設けられていて、ラッチ１３とキャッチ１４が嵌合することで引出し３が前方に動かないように固定されている。引出し３を開けるために引出し３の前面部１５を押すと、ラッチ１３とキャッチ１４の嵌合が外れ、引出し３は前下がりに傾斜したガイドレール４にガイドされて、引出し３の後部の主ローラ７と引出し３の前部の補助ローラ６により自重で前方に動く。
【００２１】
図３は、引出し３が最も手前に引出された全開位置にある状態を示す。ラッチ１３とキャッチ１４の嵌合は外れており、引出し３は自重により、主ローラ７がガイドレール４にガイドされて全開位置まで移動する。全開位置まで移動した引出し３は、主ローラ７がストッパ１０に接することより停止させられる。引出し３は、引出し３の後部を上方向Ｙに動かすという単純な動作によって、ガイドレール４から外れて自由に移動させることが可能となる。また、洗面化粧台１から取り外した引出し３は、補助ローラ６と主ローラ７によって床面８上を容易に移動させることが可能となる。
【００２２】
図４は、収納位置付近にある引出し３とガイドレール４を上方から見た様子を示す。引出し３は、補助ローラ６と主ローラ７とによって支持されている。図４の位置から更に後方に引出し３を移動させると、ラッチ１３とキャッチ１４が嵌合することにより、引出し３が収納位置に固定される。収納位置付近においても、引出し３前方に設けた補助ローラ６は床面８によってのみ支持されている。補助ローラ６の動きをガイドするガイドレールを設けていないことを原因として、図４に示す様に引出し３が本来の収納位置からずれることがある。収納位置にずれが生じた場合、ラッチ１３とキャッチ１４は嵌合せず、引出し３は収納位置で固定されないことになるが、これを防ぐため、ガイドレール４の前端部分に、ガイド補正部１１を設けている。図４に示すように引出し３が本来の収納位置からずれている場合には、ラッチ１３とキャッチ１４が嵌合せずに引出し３が収納位置に固定されない事態や、また引出し３を開ける場合にガイドレール４と平行に移動せずに全開位置まで引出し３が移動しない事態が発生するが、ガイド補正部１１を設けたことにより、補助ローラ６がガイド補正部１１に接触することで、引出し３の位置ずれが補正される。ガイド補正部１１を設けたことにより、ガイドレール４には主ローラ７の位置ずれを防ぐ複雑な機構を設ける必要が無くなり、部品点数の減少、部品の単純化を実現する。
【００２３】
引出し３が全開位置に移動した際に、主ローラ７はガイドレール４に設けられた凸状部９の上を越えて床面８に達し、ストッパ１０によって停止する。主ローラ７が全開位置においてのみ床面８によって支持される構造としたことにより、全開位置にある引出し３は、凸状部９とストッパ１０という比較的単純な構造によって位置決めが可能となる。本実施形態において、凸状部９はガイドレール４の一部を加工したものであり、新たな部品を付加しないで実現されている。なお、凸状部９は、全開位置にある引出し３の位置決めを行うが、引出し３を閉める動きは、主ローラ７が凸状部９を乗り越える力を引出し３に加えることで実現される。全開位置における引出し３の位置決め効果を増大させるため、引出し３の下部には、滑り止め部１２が設けられている。滑り止め部１２は、全開位置以外においては、主ローラ７が床面８よりも高い位置に設けられているガイドレール４に支持されているため、床面８と接触しない。全開位置において、引出し３が床面８のみによって支持される状態でのみ、引出し３の下面に設けた滑り止め部１２と床面８は接触し、全開位置における引出し３の位置決めを行う。また、全開位置における引出し３に人が乗るなどして、引出し３への荷重を増加させた場合には、滑り止め部１２と床面８間の摩擦力が増大し、滑り止め部１２による位置決め効果も増加する。
【００２４】
図５は、図４の要部Ｚの拡大図である。引出し３は収納位置にあり、引出し３の前部に設けた補助ローラ６はガイド補正部１１に接しており、収納位置のずれを防いでいる。引出し３が全開位置にある場合は、引出し３の後部に設けた主ローラ７が、凸状部９とストッパ１０の間にて、床面８に支持される。この実施形態で凸状部９は、ガイドレール４の一部を上方に折り曲げて形成されている。
【００２５】
図１に示すように引出し３が全開位置にある場合は、引出し３は図４の凸状部９とストッパ１０、滑り止め部１２によって位置決めされるため、図１に示す体重計１６は引出し３に収納された状態のまま使用可能となる。人が体重計１６に乗って引出し３への荷重が増加すると、滑り止め部１２と床面８との摩擦力が増大し、体重計１６を使用中に引出し３が移動することを防ぐ。
【００２６】
図１に示す体重計１６は電子式であり、その計測結果は表示部２０に表示される。表示部２０は、洗面化粧台１のカラン付近に設けられている。表示部２０と図３に示す赤外線通信部１９間は配線されており、情報通信が可能である。図１の体重計赤外線通信部１８と図３の赤外線通信部１９の間では赤外線通信が行われる。体重計１６の計測結果は、図１に示す体重計赤外線通信部１８と図３に示す赤外線通信部１９との間の赤外線通信と、赤外線通信部１９と表示部２０との間の配線と、を経由する情報通信によって表示部２０に送信される。表示部２０で計測結果を確認する場合、体重計１６に計測結果の表示部がある場合に比べて計測結果を確認することが容易となり、またかがんで表示を確認するという体の動きが必要なくなることから、安全に計測結果を確認可能である。
【００２７】
図３に示すスイッチ１７は、引出し３が全開位置に移動すると、体重計１６の電源を「入」にする。その仕組みを以下に示す。スイッチ１７には、主ローラ７を検知する腕部がガイドレール４の方向に向けて下向きに設けられている。腕部が主ローラ７を検知しない状態では、スイッチは「切」であり、主ローラ７を検知している間のみ、スイッチ１７は「入」となる。全開位置において主ローラ７がスイッチ１７の腕部に接触して上に押し上げることにより、スイッチ１７が「入」となり、まず図３の赤外線通信部１９及び図１の表示部２０の電源が「入」となる。電源が「入」となった赤外線通信部１９から、体重計１６の電源を「入」にする信号が送信され、その信号を体重計赤外線通信部１８にて受信した体重計１６の電源が「入」となる。この信号は、赤外線通信部１９の電源が「入」の間送信される。引出し３を全開位置から移動すると、主ローラ７がスイッチ１７の腕部を押し上げなくなることにより、スイッチ１７が「切」となり、まず図３の赤外線通信部１９及び図１の表示部２０の電源が「切」となる。電源が「切」となった赤外線通信部１９から、体重計１６の電源を「入」にする信号が送信されなくなってから一定時間が経過すると、体重計１６内に設けられたタイマが、体重計１６の電源を「切」にする。
【００２８】
図６に示す引出し３の上面には、体重計１６の位置決めを行うための受け止め部３１が、円柱状の凸部として４個設けられている。４個の受け止め部３１は、正方形の４つの頂点を形成するように配設されている。受け止め部３１はゴムのように弾性を有した材質で形成されている。図７には、引出し３に戴置される体重計１６の下面の様子を示す。体重計１６の下面は、体重計１６を戴置して引出し３に収納した際に、引出し３の上面と接触する面となる。体重計１６が使用可能なように戴置された場合の体重計１６を支えるために、体重計１６の下面には脚部１６２が４箇所に配設されている。
【００２９】
また、体重計１６の下面には、脚部１６２のほかに係止部１６１が４個配設されている。係止部１６１は開口部の形状が円をなす凹部であり、体重計１６の４箇所に正方形の頂点をなすように配設されている。係止部１６１の位置は、その断面である円の中心点の位置が、引出し３に設けた受け止め部３１である円柱の中心点と同じになるように設けられており、その結果、引出し３に体重計１６を設置したときに、係合部１６１と受け止め部３１が係合し、体重計１６の位置ずれ防止を可能としている。図６における受け止め部３１の位置が正方形の頂点をなすようにされているのは、図７に示す体重計１６の下面に設けた係止部１６１の位置が正方形の頂点をなすように設けられており、その位置と同じにするためである。受け止め部３１の位置は係止部１６の位置にあわせるように定められる。
【００３０】
したがって、本実施形態においては、体重計１６と引出し３との間に体重計１６のずれ動きを防ぐ位置ずれ防止手段を設けたことから、体重を計測する際に、体重計にずれ動きを生じることがなく、体重計測者にとって利便性が向上し、正確な体重測定が可能となった。又、体重計１６の有する係止部１６１と引出し３の有する受け止め部３１とが係合して体重計１６のずれ動きを防ぐようになしたことから、体重計１６のずれ動き効果が確実になった。又、凸部は弾性変形して凹部に係合するものであることようになしたことから、係止部１６１と受け止め部３１との係合がより確実になり、また凸部は凹部のわずかなサイズの違いがあっても、変形により係合可能となった。
【００３１】
なお、上記の第一実施形態において、引出し３に設けた受け止め部３１を位置調整可能となしてもよい。すなわち、図１、７、８は、本願の請求項１から５の全てに対応した第二実施形態である。この実施形態における洗面化粧台１において、引出し３の備えた受け止め部３１の位置は調整可能となしている。
【００３２】
この実施形態において、第一実施形態と異なる点は、引出し３が、受け止め部３１の位置を調整するための位置調整部３２を有する点である。位置調整部３２は、引出し３の上面に備えられた溝状の構造であり、その溝に沿って受け止め部３１を、引出し３の上面をなす平面に沿って動かすことが可能である。図７に示す体重計１６の下面に備えた孔状の係止部１６１の位置にあわせて、凸状の受け止め部３１の位置を調整可能となしている。
【００３３】
本実施形態においては、受け止め部３１の位置が調整可能であることから、係合部の位置が限定されず、体重計の選択の幅が広がった。その他の点においては、第一実施形態と同一である。なお、本願発明は上記の第一、第二実施形態に限定されない。
【図面の簡単な説明】
【００３４】
【図１】本願発明の第一実施形態である洗面化粧台の斜視図。
【図２】同収納位置にある引出しの斜視図。
【図３】同全開位置にある引出しの斜視図。
【図４】同上方より見た引出しの平面図。
【図５】同図４の要部Ｚを拡大した平面図。
【図６】同受け止め部を有する引出しの斜視図。
【図７】同係止部を有する体重計の裏面を示す斜視図。
【図８】本願発明の第二実施形態である受け止め部と位置調整部を有する引出しの斜視図。
【図９】従来例の洗面化粧台の斜視図。
【符号の説明】
【００３５】
１  洗面化粧台
２  台輪部
３  引出し
31  受け止め部
32  受け止め部の位置調整部
４  ガイド部（ガイドレール）
５  収納スペース
６  補助ローラ
61  ローラ
７  主ローラ
８  床面
９  ガイドレールの凸状部
10  ストッパ
11  ガイド補正部
12  滑り止め部
13  ラッチ
14  キャッチ
15  前面部
16  体重計
161  係止部
162  脚部
17  スイッチ
18  体重計赤外線通信部
19  赤外線通信部
20  表示部
Ｘ  引出し開閉時の前後方向
Ｙ  引出しをガイドレールから取り外す方向
Ｚ  図４の要部
【図１】
0004492490.tif 000002
【図２】
0004492490.tif 000003
【図３】
0004492490.tif 000004
【図４】
0004492490.tif 000005
【図５】
0004492490.tif 000006
【図６】
0004492490.tif 000007
【図７】
0004492490.tif 000008
【図８】
0004492490.tif 000009
【図９】
0004492490.tif 000010